(57)【特許請求の範囲】
【請求項１】
表面板等の板状体に配置された複数の操作釦と、これらの操作釦ごとに設けられ前記操作釦とは独立して点灯制御され前記板状体の背面側に配置された表示灯と、を備えたエレベータ操作装置において、
前記板状体の前記表示灯に対向する部分は透光性を有し、その他の部分は不透光性を有していることを特徴とするエレベータ操作装置。
【請求項２】
表面板等の板状体に配置された複数の操作釦と、これらの操作釦ごとに設けられ前記操作釦とは独立して点灯制御され前記板状体の背面側に配置された表示灯と、を備えたエレベータ操作装置において、
前記板状体は透光性を有しており、前記表示灯の前記板状体側以外の面は遮蔽部となっていることを特徴とするエレベータ操作装置。
【発明の詳細な説明】
【技術分野】
【０００１】
本発明は、エレベータのかご内に設置されるかご操作盤などの操作装置に関するものである。
【背景技術】
【０００２】
エレベータのかご内には、かご操作盤が設けられ、この操作盤にはかご呼びを登録するためのかご呼び釦や扉を開閉する戸開，戸閉釦など多数の操作釦が設けられている。
そのため、利用客が不慣れなエレベータに乗った場合や急いでいる場合には、釦を押し間違えることがある。また、弱視者や白内障など目の不自由な人にとっては釦が判別しづらいという問題もあった。
【０００３】
この問題を解決するために、エレベータの利用状況に応じて、多数の操作釦を、利用客によって操作される可能性のある釦と、操作される可能性のない釦とに振り分け、操作される可能性のある釦のみ点灯や点滅によって視線誘導するものが考えられている（特許文献１参照）。
【０００４】
この操作釦を図４，５により説明する。図４はエレベータのかご操作盤を示す正面図であり、インターホン呼び釦など、一部の釦等は省略している。図５はかご操作盤の一部を示すブロック図である。
【０００５】
図４において、１０はエレベータかごの出入口付近に設置されたかご操作盤、１１はかごの上昇を表示する上昇表示器、１２はかごの下降を表示する下降表示器、１３はかご位置を示すかご位置表示器、１４−１〜１４−１０は１階〜１０階の呼びを登録する呼び釦、１５はエレベータの扉を開放させる戸開釦、１６はエレベータの扉を閉成させる戸閉釦である。
【０００６】
図５において、１７はエレベータの制御部、１８−１〜１８−１０は前記呼び釦１４−１〜１４−１０に対応した釦入出力回路である。各呼び釦１４−１〜１４−１０は、７セグメントデジタル表示器等の数字表示器１９、エレベータ呼び操作に連動するスイッチ２０、各釦入出力回路１８−１〜１８−１０からの点灯指令信号に基づいて点灯する呼び応答灯２１、釦の押圧操作に連動してスイッチ２０を操作する可動プレート２２、この可動プレート２２を釦の表面側に付勢する復帰スプリング２３を有している。
【０００７】
数字表示器１９は、エレベータ呼び釦１４−１〜１４−１０の数字表示部分であり、例えば図４に示すように、ビルの２階で上方向に行きたい利用客があった場合、エレベータかごは上昇中であるから、乗階である２階とそれより下の１階を除いた各階に対応する数字表示器１９が点灯する。
これにより利用客はその視線が利用可能性のある階数に対応した数字表示器１９が点灯中の呼び釦１４−３〜１４−１０に誘導され、利用する可能性のない階数の呼び釦１４−１，１４−２には視線が向かないため、操作対象となる操作釦を制限することができ、操作釦の押し間違いを少なくすることができる。
【０００８】
そして利用客が、目的階の呼び釦、例えば８階の呼び釦１４−８を押すと、可動プレート２２が変位してスイッチ２０がＯＮし、呼び応答灯２１が点灯する。これにより、図４に示すように呼び釦１４−８の釦周囲部が点灯する。
このように、呼び釦１４−１〜１４−１０の数字表示部分と釦周囲部とを独立して点灯することにより、操作対象となる操作釦の選択肢を少なくし、操作釦の押し間違いを少なくすることができる。
【先行技術文献】
【特許文献】
【０００９】
【特許文献１】特開２００４−９９２２２号公報
【発明の概要】
【発明が解決しようとする課題】
【００１０】
前記従来技術では、釦の周囲に枠（釦周囲部）があるので、急いでいる人や弱視者にとっては、釦の点灯・消灯より前に枠の存在が目立ってしまうため、点灯・消灯による操作釦の選択肢の制限効果が薄れるという問題があった。
【課題を解決するための手段】
【００１１】
本発明は、表面板等の板状体に配置された複数の操作釦と、これらの操作釦ごとに設けられ前記操作釦とは独立して点灯制御され前記板状体の背面側に配置された表示灯と、を備えたエレベータ操作装置において、前記板状体の前記表示灯に対向する部分は透光性を有し、その他の部分は不透光性を有していることを特徴とするものである。
【００１２】
また本発明は、表面板等の板状体に配置された複数の操作釦と、これらの操作釦ごとに設けられ前記操作釦とは独立して点灯制御され前記板状体の背面側に配置された表示灯と、を備えたエレベータ操作装置において、前記板状体は透光性を有しており、前記表示灯の前記板状体側以外の面は遮蔽部となっていることを特徴とするものである。
【発明の効果】
【００１３】
本発明によれば、操作装置の表面板等の一部を表示灯として使っているため、より点灯表示効果が大きくなり、急いでいる人や弱視者等にもわかりやすくなる。
【図面の簡単な説明】
【００１４】
【図１】本発明の実施の形態を示す図であり、エレベータのかご操作盤の正面図である。
【図２】図１において、一部の表示灯が点灯した状態を示す図である。
【図３】図２のＡ−Ａ断面図である。
【図４】従来のエレベータのかご操作盤の正面図である。
【図５】従来のかご操作盤の一部を示すブロック図である。
【発明を実施するための形態】
【００１５】
本発明の実施の形態を図１〜図３により説明する。図１，図２はエレベータのかご操作盤の正面図であり、図２は図１において一部の釦の周辺部が点灯した状態を示している。図３は図２のＡ−Ａ断面図である。
【００１６】
図において、１はかご操作盤、２はかご操作盤の表面板で、透明アクリル製でありその背面側の全面に透光性を有する印刷、例えばステンレスヘアラインなどの透光印刷２ａがなされている。３はインターホン呼び釦、４はかご位置表示器で上昇・下降表示も兼ねている。５は戸開釦、６は戸閉釦、７−１〜７−４は１階〜４階の呼びを登録する呼び釦、７−１ａ〜７−４ａは呼び釦７−１〜７−４の周囲に配置された表示灯で、表面板２の裏側に設置されている。
【００１７】
前記呼び釦７−１は、図３に示すように、釦ユニット８の釦部が表面板２の穴９から外部に露出するように配置し、その周囲には表示灯７−１ａが配置されている。この表示灯７−１ａは、裏面に導光印刷３０を施した導光板３１と、導光板３１の側面に配置されたＬＥＤ光源３２と表面に貼付した光拡散シート３３とを有しており、ＬＥＤ光源３２は導光板３１の対向する２つの側面に配置されており、導光板３１の他の側面及び呼び釦７−１に対向する面には反射板（図示省略）が配置されている。
従って、ＬＥＤ光源３２が点灯すると、その光は導光板３１、光拡散シート３３、透光印刷２ａを介して表面板２から外へ出る。このときＬＥＤ光源３２の枠３２ａが表面板２に接しているため、光が側方に漏れることはほとんどない。  
【００１８】
その結果、例えば表示灯７−１ａ〜７−３ａが点灯すれば、図２のように呼び釦７−１〜７−３の周囲が光ることになる。また、表示灯７−１ａ〜７−４ａが消灯している場合は、図１に示すように、表示灯７−１ａ〜７−４ａの光は見えず、あたかも表示灯７−１ａ〜７−４ａが存在しないような態様になる。
【００１９】
従って、この実施の形態によれば、従来のように表示用の釦周囲部（枠）を必要としないので、表示灯が消灯のときは、表示灯がないごとくにシンプルな態様となり、表示灯が点灯すれば、その表示灯の呼び釦を目立たせることができる。そのため、表示灯の点灯・消灯による操作釦の選択肢の制限効果を大きくすることができる。
【００２０】
前記の実施の形態では、表示灯７−１ａ〜７−３ａを点灯させているが、従来と同じくエレベータの利用状態により、任意の表示灯を点灯させればよい。また、呼び釦７−１〜７−４には応答灯を内臓しているため、従来と同様に呼びの応答と操作釦の選択肢の制限の両方が行える。
尚、呼び釦内の応答灯と表示灯の使い分けも、どちらを応答灯用としても、選択肢の制限用としてもよい。
【００２１】
また前記の実施の形態では、表面板２の透明アクリルの背面側全面に、透光印刷２ａを施しているが、表示灯７−１ａ〜７−４ａが対向する部分のみ透光印刷とし、他の部分は不透光印刷としてもよい。そうすれば表示灯の点灯時に、表面板２の表示部分の輪郭がより明確になる。更にまた表面板２の印刷は、真鍮，木目など他のデザインでも良く、また表示灯に対向する部分以外は不透光性の材質にしてもよい。
【００２２】
更に、前記の実施の形態では、呼び釦７−１〜７−４のみに表示灯を設けているが、インターホン呼び釦３，戸開釦５，戸閉釦６にも表示灯を設置してもよい。
また、表示灯はその色を変更することもできる。例えば、ＬＥＤを複数種設置し、状況に応じて操作される可能性のある釦を表示する場合のみならず、表示色を変えて停止予定階を表示することもできるし、点灯だけでなく点滅させたり、表示の明るさを変えることもできる。即ち、表示灯の点灯制御をすることによって色々な表示が可能である。
そうすれば、表示灯に、応答灯用と、選択肢の制限用の両方の機能を持たせることもできるため、呼び釦内の応答灯を省略することも可能になる。
【００２３】
更に表示灯は、ＬＥＤ光源や導光板方式に限られることはなく、導光板を省略してＬＥＤで直接表面板を照らしても良く、白熱灯など他の光源でもよい。
また、前記実施の形態では、表示部は四角形になっているが、円形にしたり、釦の形状や機能に合わせて変更することもできる。
更に本発明は、表面板を省略してかご側板に直接呼び釦や戸開閉釦を設けるタイプの操作盤にも適用することができる。即ち表面板や側板などの各種の板状体に適用することができる。
【符号の説明】
【００２４】
１  かご操作盤
２  表面板
２ａ  透光印刷
３  インターホン呼び釦
５  戸開釦
６  戸閉釦
７−１〜７−４  呼び釦
７−１ａ〜７−４ａ  表示灯
８  釦ユニット
３０  導光印刷
３１  導光板
３２  ＬＥＤ光源
【図１】
0005682234.tif 000002
【図２】
0005682234.tif 000003
【図３】
0005682234.tif 000004
【図４】
0005682234.tif 000005
【図５】
0005682234.tif 000006